(57)【要約】【課題】樹脂製の折り畳み式ケーブル用ドラムの中間胴部さん板部材の各回転機構部の組み立て方法とさん板部材耐荷重性向上を図り、且つ、鍔板、及び、定型中間胴部の分割成型方式を提供して射出成型用金型代の大幅低減を課題としている。【解決手段】中間胴部３Ａの中央部に回転機構部４を設けたさん板部材５の両端を延長して突起回転機構部８を設けて鍔板のくり抜き穴９に嵌合して外面部に組み立て形成し、且つ、鍔板２Ｃを放射状に等分割して接合フランジ２０を径方向の段差嵌合部２１と、巾中央に凹凸係合部２２付きに設けて分割式の折り畳み式ケーブルドラム１Ａを、且つ、鍔板面間長の中間胴部３Ｂを断面半円形に分割成型し、長手方向の隣接部に嵌合部Ｃ、Ｄを、補強リブ３３Ａ、３３Ｂの内径部を異径に設けた中間胴部両端部を鍔板裏面部の周状胴受け部２９等に嵌合組み立てして分割式の定型ケーブルドラム１Ｂを形成する。【選択図】　図１
2004043176.tif 000002
【特許請求の範囲】
【請求項１】
主に合成樹脂製の、一対の両側の鍔板間に配置されて中間胴部を形成する断面半円形の複数に分割されたさん板部材が、更に、軸方向中央部で分割され、該中央部、及び、両端部に回転機構を設けて拡経方向に屈伸可能な折り畳み式ドラムに於いて、前記さん板部材両端部平面中央の所定巾を延長して該上部に回転機構を設け、且つ、下部に軸方向の半円突起部を設けて突起回転機構部を形成し、且つ、該突起回転機構部を前記両鍔板面部所定径位置に複数のくり抜き穴を設けて外部突出させ、且つ、該上部を前記鍔板外面部に回転軸を用いて組み立て、該下部を前記鍔板に一体形成された半円状の胴部受けに嵌合する係止機構部を設けて半回転可能に組立てて中間胴部を形成し、該中間胴部が屈伸して前記両鍔板が軸方向に伸縮可能に構成された折り畳み式ケーブル用巻き取りドラム。
【請求項２】
前記折り畳み式ドラムに於いて、両側に配置される一対の鍔板を、該軸穴中心部から所定角度の放射状に複数分割し、且つ、該分割稜線部それぞれに径方向の接合用フランジを配置し、且つ、該フランジ当接面の径方向に複数の段差嵌合部、及び、該巾方向中間部に径方向の凹凸状係合部を設けて組み合わせたことを特徴とし、これをボルトを用いて組み立て可能に形成し、且つ、該鍔板間に拡径して屈伸可能な中間胴部を組み立て、且つ、軸穴部に軸受けリングを配置して構成された請求項１記載の折り畳み式ケーブル用巻き取りドラム。
【請求項３】
前記両側に配置された分割式鍔板を用いたケーブルドラムに於いて、前記中間胴部を両鍔板間面間長の周方向に複数分割された断面半円形の面長さん板部材として設け、且つ、該各内径部に突起する補強リブを周方向、及び、長手方向の内径方向垂直に形成し、且つ、該各面長さん板部材外板の長手方向の側部隣接部、又は、前記周方向補強リブの隣接端部の少なくとも何れかに相互に噛み合う段差、又は、突起係合部を組み合わせ可能に設けて中間胴部を円筒状に形成し、且つ、該中間胴部両端部を、前記分割鍔板の裏面部に周状に突起する胴部受けを設けて該外周部に配置、又は、両鍔板裏面部に同心円の円形凹部を接合フランジを除いて、且つ、リブ部付きに設けて該凹部に嵌合可能に形成し、且つ、前記両鍔板と中間胴部端面を、又は、両鍔板間をボルト等を用いて組み立て可能に構成された請求項１、及び、２記載のケーブル用巻き取りドラム。
【請求項４】
前記鍔板、及び、面間長の中間胴部のそれぞれが径方向の放射状に分割されて組立て形成されたケーブル用ドラムに於いて、該鍔板の裏面部所定径位置の周方向に凹状の胴部受けを、両端接合用フランジ部を除いて、且つ、該凹部内に径方向に連結する複数の補強リブを設けて形成し、該凹部胴部受け内に、前記各面長さん板部材の軸方向両端面に切り込み部を設けて、且つ、該さん板部材外板の長さ方向外板両端部と前記凹部胴部受け外周部にテーパーを設けて嵌合可能に形成し、且つ、該両鍔板と各面長さん板部材をボルト等を用いて組み立て可能に構成された請求項２、及び、３記載のケーブル用巻き取りドラム。
【請求項５】
前記分割鍔板、及び、中間胴部が面間長のさん板部材によって組立て形成されたケーブル用ドラムに於いて、該分割鍔板裏面部の胴部受け外径部際の周方向に複数の径方向のスリット孔を設け、且つ、面長さん板部材の長手方向両端部に外方向に突起する複数の突起リブを設けて中間胴部端部を形成し、該端部を前記胴部受けに載置して、且つ、前記スリット孔に嵌合して外部突出させ、該突起リブの内外径部が前記スリット孔上下面部に当接して組み立て可能に構成されたことを特徴とする請求項２、及び、３記載のケーブル用巻き取りドラム。
【請求項６】
前記ケーブル用ドラムに於ける一対の鍔板間に組立てられた中間胴部の構造を、該周方向に分割された断面半円形の面間長の各さん板部材の内径部に配置された周方向、及び、軸方向の内径方向に垂直に設けられた補強リブを、軸方向の両端部の内半径に対して中央部の内半径を小とする周状のテーパーを設けて形成したことを特徴とし、且つ、該各さん板部材同士の側部接触部を分割角度に設けて円筒状に組み立て可能に形成し、且つ、前記周方向の複数の補強リブの面部に中心軸と平行するボルト穴を設けて通しボルトを挿通し、該中間胴部両端部を前記鍔板に嵌合して組立て可能に構成された請求項２、及び、３、及び、４、及び、５記載のケーブル用巻き取りドラム。
【請求項７】
前記樹脂製のケーブル用ドラムに於いて、一対の両側の、分割、又は、一体に形成された鍔板の軸穴部に鋼製の軸受けリングを嵌合装着して組み立て可能に構成された請求項１、及び、２記載のケーブル用巻き取りドラム。
【発明の詳細な説明】
【０００１】
【発明の属する技術分野】
ケーブル包装用巻取りドラムの鍔板部、及び、中間胴部の形状、及び、構成に関する。
【０００２】
【従来の技術】
主に合成樹脂製の、ケーブル包装用の折り畳み式巻取りドラムの場合、屈伸する中間胴部のさん板部材両端の鍔板との組み立てと回転機構が半円形のさん板部材の内径部に有り、且つ、胴部外部形状が半円のため鍔板の軸方向への折り畳みが難しく、更に、ドラム横荷重対策として緊張用の索部材を設けたりせねばならなかった。又、胴部さん板部材個々の、若しくは、中央回転機構部に対する強度対策が求められていた。且つ、射出成型用金型代が大変高価な為実用化に困難があった。更に、樹脂製定型ドラムに於いても鍔板、及び、中間胴部をそれぞれ一体成型した場合の金型代が大変高価であるため、木製ドラムから樹脂ドラムへの切り替えが捗らず、且つ、大型ドラムの樹脂化は至難とされていた。
【０００３】
【発明が解決しようとする課題】
主に樹脂製の、ケーブル等の輸送用に用いられる巻取りドラムの折り畳み化を図る際、中間胴部さん板部材の中央部と、両端部の回転機構部の構造の簡素化と組み立ての作業性、及び、さん板部材自身の耐荷重性の向上を図ることを目的とし、且つ、鍔板、及び、中間胴部をも分割成型可能な組み立て式の定型ドラムを設けて射出成型用金型代の大幅なコストダウンを図り、且つ、再生樹脂を使用した場合の素材物性の劣化を構造的に補うことも課題としている。
【０００４】
【課題を解決するための手段】
本発明は、主として樹脂製の、ケーブル等の巻き取り用折り畳み式ドラムに於ける前記課題を解決するため、軸穴付きの一対の両側の鍔板間に中間胴部を形成する、周方向に複数分割されて断面半円形の、かつ、軸方向中央が二分割されて回転機構部の設けられたさん板部材の両端部の平面中央部所定巾を外部突出可能に延長してこの上部に回転機構を設け、且つ、下部に軸方向の半円突起部を設けた突起回転機構部を形成し、この突起回転機構部を両側の鍔板面部の所定径位置周状に複数のくり抜き穴を設けて嵌合して突出し、鍔板外面部に回転軸を設けて回転可能に組み立て、鍔板裏面に一体形成された胴部受けに半回転可能に嵌合する係止機構を形成して脱落防止を図って形成されている。尚、前記各さん板部材中央分割部の左右対称の内径部周方向の補強リブを設け、それぞれの接触端部相互に噛み合う凹凸嵌合部を設けてさん板部材が直伸して中間胴部を形成する時、この凹凸嵌合部が噛み合って一体のリング状に形成されて中間胴部の外部荷重支持強度を高め、且つ、中央回転機構部に対する荷重負担を低減可能としている。尚各さん板部材内腹部の軸方向にも所定数の補強リブを設けている。この様に形成された本発明は、各さん板部材の両端の回転機構部の組み立て位置が胴部外径部で、かつ、鍔板のくり抜き穴の外部に構成されいているため組み立て作業を容易に出来、かつ、中央部が拡径して両側の鍔板の軸方向への伸縮が大変スムースで折り畳みを容易にしている。尚、この場合、前記さん板部材の中央突き合わせ部にロック機構を、又、各さん板両端の回転機構部内に撥ねだし用バネを装着しておくことが望ましい。
【０００５】
又、本発明は、前記折り畳み式ドラムに於いて、両側に配置される鍔板を、軸穴中心部から所定等角度の放射状に複数分割して、各分割稜線部それぞれに径方向の接合用フランジを配置し、このフランジ当接面の径方向に段差の設けられた複数の凹凸状の嵌合部を、且つ、巾方向の中間部に、若しくは、端部に凹凸状の係合部を径方向に設けて組み合わせ可能に形成し、これをボルト等によって組み立てて分割式鍔板を形成し、かつ、前記屈伸可能なさん板部材を前記同様に構成して組み立て形成することが出来る。従って、本発明の如く、鍔板を複数分割して組み立て可能とすることによって射出成型用の金型代の大幅コストダウンを可能とすると同時に、分割稜線部の接合用フランジ当接面に設けられた凹凸段差嵌合部が組み合わされて双方一体の強度構造となる為鍔板の接地面で受ける耐荷重性をより高め、かつ、鍔板巾部に設けられた凹凸状係合部によって軸方向の横荷重と、ズレ防止対策が確実に図られている。なお、鍔板軸穴部には軸受けリングが配置されている。
【０００６】
又、本発明は、前記分割形成された鍔板を用いて、ケーブルドラムの両鍔板間の面間長の中間胴部を周方向に複数分割して断面半円形の面長さん板部材を設け、この各面長さん板部材の内径部に突起する周方向の補強リブ、及び、長手方向に内径方向垂直の補強リブを設けて形成し、かつ、この面長さん板部材の長手方向側部隣接部、及び、前記周方向の補強リブそれぞれの接触端部を共に、若しくは、その何れかに相互に噛み合う係合部を設けて中間胴部を組み合わせ形成し、かつ、この中間胴部を、前記分割鍔板の裏面部に周状に突起する胴部受けを設けて外周部に配置し、又は、各鍔板裏面部中央部に同心円の、かつ、径方向の補強リブ付きの円形凹部を設けて内部嵌合し、鍔板と各面長さん板部材の端面をボルトを用いて、又は、両鍔板間に通しボルトを用いて組み立てて鍔板、及び、中間胴部とも分割方式とする定型のケーブル用ドラムを形成することが出来る。なお、前記円形凹部嵌合の場合には各面長さん板部材端部に切り込み部を設けてフランジ部、及び、補強リブと嵌合可能としている。従って、前記の如く、各さん板部材の長手方向の隣接両端部、及び、周方向の補強リブの接触端部に噛み合い嵌合部が設けられているためケーブルの巻き付け力との相乗効果により強固な一体の筒状に形成されてさん板部材個々に対する対外部荷重性を一体成型の中間胴部と同様、又は、より以上に強く形成することが出来る。本発明は前記の如く、鍔板同様、中間胴部をも分割成型可能として射出成型用金型代の更なる大幅コストダウンを可能としている。もとより、本発明の前記分割式中間胴部を一体成型の鍔板と組み合わせることも出来る。
【０００７】
又、本発明は、前記の如く、鍔板、及び、中間胴部のそれぞれが分割形成されたケーブルドラムに於いて、鍔板の裏面部の所定径の周状に所定間隙部を設けた凹状の胴部受けを、前記両端接合用フランジ部を除いて、且つ、凹部内部に径方向に連結する複数の補強リブを設けて形成し、中間胴部を形成するさん板部材の軸方向両端部に切り欠き部を設けて周状に嵌合して、各さん板部材の両端面部と両鍔板をボルト等を用いて、又は、両鍔板間に通しボルト等を用いて組み立て可能に形成している。尚、この場合、鍔板の内面部の周状胴部受けの凹状の嵌合外周部、及び、さん板部材外板両端外径部のそれぞれに、又は、内径部に、或いは、共にテーパーに設けて蜜に嵌合させて強固な組み立てを可能としている。
且つ、この様な鍔板と中間胴部の組み立て構造は各さん板部材が分割構成されているが故に巻き取りされたケーブルの垂直方向の荷重を中間胴部の内径部と鍔板凹部胴部受けの内径部上部半円部、及び、鍔板凹部胴部受け外径部と中間胴部外径部の下部半円部の当接面それぞれが全周で分散して支持可能としている為さん板部材自身、及び、鍔板胴部受けの嵌合部に掛かる単位面積当たりの荷重を半減出来てケーブルドラムの全体強度を高めるように構成されている。
【０００８】
又、本発明は、前記の如く、鍔板、及び、中間胴部のそれぞれが分割形成されたケーブルドラムに於いて、鍔板の面部の胴部受け外径部際に複数の径方向のスリット孔を周方向に設け、分割面長さん板部材の長手方向両端部に複数の突起部を設けて前記鍔板面部のスリット孔に嵌合して組み立てて中間胴部と鍔板のケーブルの荷重を分散して支持することも出来る。
【０００９】
又、前記一対の鍔板間に配置された半円形に分割形成された面間長の中間胴部の各さん板部材の内径部の周方向、及び、長手方向の径方向に垂直に配置された補強リブの内半径が、軸方向の両端部に対して中央部を小とする周状の両テーパーに設けて形成し、かつ、長手方向の両端接触部に角度を設けて各さん板を円筒状に組み立て形成して中間胴部の中央部に掛かる荷重対策を講ずることが出来る。かつ、前記周方向に配置された補強リブの面部の所定径の位置に中心軸と平行の複数のボルト穴を設けて通しボルトを挿通し、両側の鍔板のボルト穴に通して組立て可能に構成することが出来る。尚、前記リブは使用条件により周方向のみのリブだけでも良い。
【００１０】
更に、前記ケーブル用ドラムを構成する樹脂製の一対の両側の分割形成、又は、一体に形成された鍔板の軸受け部に鋼製のフランジ付きリングを配置して組み立て、軸部への集中荷重による樹脂鍔板の破損防止を図っている。
【００１１】
【発明の実施の形態】
本発明による、主に合成樹脂製の、ケーブル巻き取り用折り畳み式ドラム１Ａに関してこれを図面で説明すると、図１、及び、図２に示す通り、鍔板２Ａ、２Ｂ（図１は後記分割形成の鍔板２Ｃ、２Ｄを示す）間の中間胴部３Ａを形成する、周方向に分割配置された断面半円形の、かつ、軸方向の中央部で分割されて拡径方向に屈伸可能な中央回転機構部４の設けられたさん板部材５Ａ、５Ｂが、両端部の中央所定巾を延長して上部に回転機構６を設け、下部に軸方向の半円突起部７を設けて突起回転機構部８を形成し、これを両側の鍔板のくり抜き穴９に嵌合してつば板の外面部に回転軸１０を用いて回転可能に、下部半円突起部７が鍔板裏面部の半円状の胴部受け１１に嵌合して半回転可能な係止機構部１２を形成して組み立てられ、且つ、図３、図４の如く各さん板部材５Ａ、５Ｂそれぞれの中間腹部に周方向の補強リブ１３を設け、且つ、この隣接して接触する端部に凹凸状の嵌合部Ａを設けて、各さん板部材５Ａ、５Ｂが直伸して直胴部の形成される時、各補強リブが一体のリング状に形成され、さん板部材の個々に対する垂直方向の外部荷重を凹凸状の嵌合部Ａとケーブルの巻き付け力との相乗効果により一体の筒状と同様の荷重支持を可能とし、且つ、中央回転機構部４に対する荷重負担の軽減を図っている。且つ、各さん板部材腹部に軸方向の補強リブ１４を内径方向に垂直に設けて、且つ、中央分割部相互に軸方向の嵌合部Ｂを設けて荷重支持をより高めることが出来る。従って、この様に形成された本発明は、中央部の回転機構部４が拡径して各さん板部材５Ａ、５Ｂが屈伸し、両側の鍔板２Ａ、２Ｂが軸方向に伸縮する際の端部の回転が無理なく、且つ、胴部の外部円形を基部回転軸部を固定したままで鍔板内面部に接触して折り畳み可能な構造とすることが出来、更に、各さん板部材の両端回転機構部８の組み立て位置が胴部の外径部で、かつ、鍔板のくり抜き穴９の外部に構成されいているため組み立て作業を容易にすることが出来ると同時に、回転機構部８の周辺強度を構造的に高めることが出来、かつ、中間胴部の部品、或いは、サイズ交換を容易に行うことが出来る。尚、この場合、前記さん板部材の中央突き合わせ部にロック機構１５を、又、各さん板両端の回転機構部内に撥ねだし用バネ１６を装着しておくことが望ましい。又、前記突起回転機構は、図５の如く、さん板部材４Ａ，４Ｂの両端の内径部に回転軸１０を設けて組み立て可能に構成することも出来る。
【００１２】
又、本発明は、第２の実施態様として、図１、及び、図６の如く、分割成型された鍔板１７を組み立てて鍔板２Ｃ、２Ｄを形成するものとし、分割鍔板１７は軸受けリング１８の用いられた中心軸（図割愛）の軸穴１９中心部から所定角度の放射状に等分割して、各分割稜線部それぞれに径方向の接合用フランジ２０を配置し、この当接面を径方向に向けて複数の凹凸状段差嵌合部２１を、又、当接面巾方向の中間部に凹凸状係合部２２を径方向に設けて組み合わせ、これをボルト２３によって組み立てて分割式鍔板２Ｃ、２Ｄを形成し、これを前記実施態様同様中央、及び、端部に回転機構部４、８の設けられて屈伸可能なさん板部材５Ａ、５Ａからなる中間胴部３Ａと組み立てて折り畳み式ケーブルドラム１Ａを形成することも出来る。なお、図示していないが前記フランジ２０当接面巾方向の凹凸状の係合部を巾方向端部に設けることも出来る。以上の如く、本発明の分割式鍔板は分割稜線部の接合用フランジの当接面形状が凹凸段差２１が設けられて組み合わされているため、径方向に対して複合された強度構造となって鍔板の接地面で受ける耐荷重性を高めることが出来、かつ、鍔板巾部に設けられた凹凸状係合部２２によって軸方向の横荷重と、ズレ防止を可能にしている。かつ、複数分割の組み立て方式とすることによって射出成型用の金型代の大幅コストダウンを可能としている。もとより、本発明の分割式鍔板と一体成型の中間直胴部を組み立てて定型のドラムを形成することも可能である。
【００１３】
又、本発明は、第３の実施態様として、図７の如く、前記分割形成された鍔板２Ｃ、２Ｄ（但し、図６のくり抜き穴９を不要とする）を用いて、ケーブルドラム１Ｂの両鍔板裏面面間長の中間胴部３Ｂを周方向に複数分割して、これを断面半円形の面長さん板部材２４として設け、図８の如く、この各面長さん板部材２４を外板２４ａ内径部に周方向の補強リブ１３と内径方向に垂直の補強リブ１４を設けて形成し、かつ、この外板２４ａの長手方向の側部接触端部に嵌合部Ｃ、及び、周方向の補強リブの各接触端部に嵌合部Ｄを設けてこれを共に、若しくは、その何れかを相互に噛み合せて組み立てて直胴式中間胴部３Ｂを形成し、これを分割式鍔板２Ｃ、２Ｄの裏面部周状に突起する胴部受け２５の外周部に嵌合して配置し、又は、鍔板裏面部中央部に同心円の円形凹部胴部受け２６を設けて中間胴部３Ｂを内部に嵌合して、鍔板２Ｃ、２Ｄと面長さん板部材の端面２４ｂをボルト２３、又は、鍔板２Ｃ、２Ｄを通しボルト２３Ａを用いて、或いは、これを併用して組み立てて鍔板、及び、中間胴部とも分割方式とする定型のケーブル用ドラム１Ｂを形成することが出来る。且つ、前記鍔板２Ｃ、２Ｄの円形凹部２６には後述図９の如く径方向の内部補強リブ２７を、かつ、さん板部材２４の端部に図１１の如く補強リブ用切り込み部２８を設けて嵌合し鍔板の強度保持可能な構造としている。又、円形凹部の胴部受け内径部２６Ａと外板２４ａの両端部嵌合接触部に図１０に示すテーパー角αを設けて密に組み立てることも出来る。従って、以上の如く形成された中間胴部は、分割面長さん板部材２４個々に対する外部荷重を外板長手方向、及び、腹部周方向補強リブの接触端部の噛み合い部Ｃ、Ｄの効果と、ケーブルの巻き付け力との相乗効果により一体成型の筒状胴部と同様の強度を有することが出来る。また、鍔板２Ｃ、２Ｄ、及び、中間胴部３Ｂ共分割成型方式を可能とすることによって射出成型用金型代の更なるコストダウンを可能とし、且つ、部分破損を来した時のパーツ交換可能とし、サイズ変更をも容易に構成するものである。尚、軸穴１９部には軸受けリング１８が配置されている。尚、図９の如く分割鍔板１７Ａのケーブルの巻き始め端部固定用開口部Ｅは成型プラグ（図示しない）を用いて任意に塞いで開口部無しの分割鍔板１７Ｂを設けて組み合わせ可能に形成している。また、組み立ては、分割された鍔板と、面長さん板部材のそれぞれを予め、仮組み立てした後、本組み立てを行うと容易に組み立てが出来る。もとより、前記、本発明の分割式中間胴部を一体成型の鍔板と組み立てすることも可能である。
【００１４】
又、本発明は、第４の実施態様として、前記鍔板２Ｃ、２Ｄ、及び、中間胴部３Ｂ共分割形成された定型ケーブル用ドラム１Ｂに於いて、図９、１０、１１の如く、鍔板の裏面所定径の位置に周状に凹状の間隙部を設けた胴部受け２９を、両端の接合用のフランジ２０部を除いて形成し、かつ、径方向に連結する補強リブ３０を設けてこの胴部受け２９に面長さん板部材２４の両端部に切り込み部２８を設けて嵌合してボルト２３で端面２４ｂと両鍔板２Ｃ、２Ｄを、若しくは、両鍔板間に通しボルト２３Ａを用いて組み立てを形成することが出来る。尚、この場合、鍔板の周状の胴部受け外周部２９Ａと面長さん板部材の外板２４ａ両端部にテーパー角度αを設けて内外径部を蜜に嵌合させて強固な組み立てを行うように構成されている。又は、図示していないが胴部受け内径部２９Ｂと面長さん板部材２４端部内径部に、又は、前記外径部を共にテーパー状に設けることも出来る。尚、テーパー状の角度αを設けずに嵌合することも出来る。従って、本発明が以上の如く構成されている為、各面長さん板部材２４が巻き取りされたケーブルの垂直方向の荷重を中間胴部３Ｂ内径部の上半円分と鍔板の周状の胴部受け内径部２９Ｂ上半円分、及び、中間胴部３Ｂ外径部と胴部受け外径部２９Ａの下半円分のそれぞれが分散して全周で支持可能な構造としている為各面長さん板部材２４自身、及び、鍔板胴部受けの嵌合部に掛かる単位面積当たりの荷重を半減出来てケーブルドラム１Ｂの全体強度を増すことが出来る。
【００１５】
なお、本実施態様は、図１２、及び、図１３の如く、鍔板の裏面部胴部受け２５の外周部際に複数の径方向のスリット孔３１を断続的に設け、さん板部材３２の両端部に設けた突起リブ３２Ａを嵌合して外部突出させ、前記同様、巻き取られたケーブルの荷重を胴部受け２５とさん板部材３２の内径部の上半円の当接面、及び、突起リブ３２Ａ背部と胴部受け２５の下半円の嵌合部当接面によって荷重を分散して支持することも出来、且つ、鍔板２Ｃ、２Ｄとさん板部材３２の組み立てを確認しながら確実に行うことが出来る。尚、この場合、鍔板裏面に胴部受け２５の外周と同一内径の周方向に浅い凹状溝部２９Ｃを設けて外板２４ｂを部分嵌合可能に設けるとなお良い。
【００１６】
又、本発明は図１４、１５の如く、前記一対の分割式鍔板２Ｃ、２Ｄ、又は、一体形成の鍔板間に配置された断面半円形の面間長の分割さん板部材３３を内径部に突設して軸方向の内径方向に垂直の補強リブ３３Ａ、及び、内径の異なる周方向の補強リブ３３Ｂを配置して軸方向中央部の内径Ｘが、軸方向の両端部内径Ｙに対して小径とする両テーパー角βの異径に設けたことを特徴とし、かつ、この長手方向の両端接触部に分割角度θを設けて各さん板部材３３を円筒状に組み立てて中央部に掛かる高荷重対応の中間胴部３Ｂを形成している。且つ、本発明は同時に、周方向の補強リブ３３Ｂの少なくとも中央２枚の面部に中心軸に平行のボルト穴３４を設けて通しボルト２３Ａを事前に挿通しおき、これを鍔板の見合う位置に設けたボルト穴（図示しない）に通して容易に組立てることが出来る。尚、端面３３ｂと鍔板２Ｃ　２Ｄをボルトで固定することも出来る。或いは、使用条件により軸方向の補強リブ３３Ａは割愛して周方向の補強リブ３３Ｂを異径とするテーパー角βに設けることも出来る。かつ、本発明は、図示しないが周方向の補強リブ３３Ｂ同士の接触面によって十分なる胴部の荷重支持を可能とするため、この断面を相互に凹凸状に設けて、又は、ズレ防止手段を図って外板部の嵌合部Ｃ、Ｄを割愛することも出来る。
【００１７】
更に、図１６、１７の如く、前記ケーブル用ドラムを構成する樹脂製の一対の両側の分割形成された鍔板２Ｃ、２Ｄの軸受け部１９に鋼製のフランジ１８ａ付きリング１８を配置して組み立て、軸部に掛かる荷重による鍔板の破損、或いは、巻き取り時等の軸挿入作業等による破損防止、又は、例えば、ポリブロピレン、ポリエチレン、或いは、ポリアミド等の再生樹脂原料が配合、又は、混入したときの物性の劣化が考えられる為の対策を図ろうとするものである。尚、前記、分割鍔板２Ｃ、２Ｄには軸受け部に同時成型でホルダー３５を設けて鋼製のリング３６を分割鍔板の組立て時に同時収納して装着し、荷重を受けることが出来る。又は、一体型の鍔板２Ｃ、２Ｄには少なくとも、前記フランジ付きリング１８の片側フランジをネジ加工して後組立てすることが出来る（図示しない）。
【発明の効果】
上記の如く構成された本発明の、主に樹脂製の、折り畳み式ケーブルドラムの屈伸式さん板部材端部に突起回転機構部を設けて胴部外で鍔板と組み立てを可能とし、且つ、定型ケーブルドラムに共通する鍔板、更には、同中間胴部の分割組み立て方式を可能とすることによって以下の如き大きな効果が期待出来る。
▲１▼折り畳み式ドラムの組み立て、及び、さん板部材の部品、或いは、サイズ交換を極めて容易に行うことが出来る。
▲２▼外部回転機構部の構造を適宜強化することが出来、且つ、半円形状のさん板を基部を固定したままで回転して折り畳むことが出来る。
▲３▼前記、折り畳み式ドラムの鍔板、又は、定型ドラムに於ける鍔板、及び、中間胴部を分割成型可能として射出成型用金型コストを大幅に削減出来る。
▲４▼分割組み立て式定型ドラムに於ける面長さん板部材と鍔板の周状凹部胴部受けとの嵌合によって鍔板と中間胴部に掛かる荷重を嵌合部全周で分散支持可能とし、ドラム全体の強度を向上させることが出来る。
▲５▼大型ドラムの樹脂化をも可能とする。
▲６▼ドラムの製品コストダウンを可能として物流コストの削減が可能となるため、木製ドラムからの切り替えの促進を図り、且つ、再生プラスチックの利用促進によって資源を再利用して循環型社会を形成することが出来る。
【図面の簡単な説明】
【図１】さん板部材の中央回転機構部が拡径する様子を示す折り畳み式ケーブル用ドラムの斜視全体図で、且つ、分割成型された鍔板が組み立て形成された様子を併せ示す。
【図２】前記、折り畳み式ケーブル用ドラムのさん板部材の屈伸の様子を示す断面構成部分図で、同突起回転機構部が鍔板のくり抜き穴に嵌合して外部組み立てされている様子を示す。
【図３】同上さん板部材の直伸時の周方向と軸方向の腹部リブの接触端部が噛み合い可能な様子を示す平面部分図。
【図４】同上さん板部材の直伸時、周方向のリブ接触端部が噛み合って一体のリング状に形成されたことを示す胴部断面部分図。
【図５】同上のさん板部材の端部回転機構部が同内径部に回転軸を設けて組み立てられる様子を示す正面部分断面図。
【図６】本発明の樹脂成型された分割式鍔板の単体の斜視全体図。
【図７】分割成型された鍔板、及び、面長さん板部材の組み立てられた定型ドラムの正面全体図で、片側は同断面を示し、且つ、この上部図は、鍔板裏面突起の胴受け部に中間胴部が外部嵌合した様子を、下部図は、同円形凹部の胴受け部に内部嵌合して組み立てられた様子を示す。
【図８】面長さん板部材の断面部分図で、かつ、長手方向側部、及び、周方向リブの両端接触部の組み立て噛み合わせ部を示す。
【図９】周状の凹部胴部受けを設けた分割鍔板が一部組み立てられた裏面図。
【図１０】同上胴部受け部に面長さん板部材の端部にテーパーを設けて組み立てられた様子を示す正面部分断面組み立て構成図。
【図１１】同上面長さん板部材の平面片側端部の図。
【図１２】端部に突起部の設けられた面長さん板部材が鍔板のスリット孔に組み立てられた様子を示す正面部分断面組み立て構成図。
【図１３】同上の側面部分図で片側にＡ−Ａ’、片側にＢ−Ｂ’を示す。
【図１４】面長さん板部材の補強リブが長手方向両端にテーパーを設けて中心部内半径を小に形成したことを示す正面断面図。
【図１５】同上の側面図で片側にＣ−Ｃ’、片側Ｄ−Ｄ’を示す。
【図１６】分割式鍔板軸穴部に装着された鋼製のフランジ式リングの正面断面図
【図１７】同軸穴部内に鋼製リングの装着された様子を示す正面断面図。
【符号の説明】
１Ａ；つば板が軸方向に拡縮式の折り畳み式ケーブル巻き取りドラム
１Ｂ；定型分割組み立て式ケーブル巻き取りドラム　　　　２Ａ、２Ｂ；鍔板
２Ｃ、２Ｄ；分割組み立て式鍔板　　　　　２ａ；鍔板の補強リブ
３Ａ；折り畳み式中間胴部　　　３Ｂ；分割式中間直胴部　４；中央回転機構部
５Ａ、５Ｂ；中央分割のさん板部材　６；背部回転機構　　７；下部半円突起部
８；突起回転機構部　　　　　　９；くり抜き穴　　　　１０；回転軸
１１；半円形状の胴部受け　　１２；係止機構部　　　１３；周方向の補強リブ
１４；軸方向の補強リブ　　　１５；ロック機構　　　１６；撥ねだし用バネ
１７；分割鍔板　　１７Ａ；開口部付き分割鍔板　１７Ｂ；開口部無し分割鍔板
１７Ｃ；同心円の凹部胴部受けの分割鍔板　　１７Ｄ；周状胴部受けの分割鍔板
１７Ｅ；貫通孔付き分割鍔板　　　　　　１８；フランジ付き鋼製軸受けリング
１８ａ；同フランジ１９；軸穴　　　　　２０；接合用フランジ
２１；凹凸状段差嵌合部　　　　２２；凹凸状係合部　　　　２３；ボルト
２３Ａ；通しボルト　　　２４；面長さん板部材　　２４ａ；同外板
２４ｂ；同端面　　　２５；周状突起胴部受け　　２６；同心円の凹部同部受け
２６Ａ；同内径部　　２７；凹部径方向の補強リブ２８；端部切り込み部
２９；周状凹部胴部受け　　　２９Ａ；同外径部　　　　２９Ｂ；同内径部
２９Ｃ；浅い周方向の溝　　　　３０；同補強リブ　　　　３１；スリット孔
３２；両端突起部付きさん板部材　　　　３２Ａ；端部突起リブ
３３；高荷重用面長さん板部材　　　　　３３Ａ；同長手テーパー補強リブ
３３Ｂ；同周方向異径補強リブ　　　　３３ａ；同端面　　３４；ボルト穴
３５；ホルダー　　　　　３６；鋼製リング
Ａ；中央分割さん板部材周方向補強リブ隣接部の嵌合部
Ｂ；同軸方向リブの接触嵌合部　　　　Ｃ；面長さん板部材の周方向リブ係合部
Ｄ；同長手方向側部の隣接嵌合部　　　Ｅ；開口部　　　　　Ｆ；水抜き穴
Ｘ；中央部内径　　　　　　　　　Ｙ；両端部内径
α；鍔板と中間胴部端嵌合部の角度
β；軸方向の補強リブ内径のテーパーの角度
θ；分割角度
【図１】
2004043176.tif 000003
【図２】
2004043176.tif 000004
【図３】
2004043176.tif 000005
【図４】
2004043176.tif 000006
【図５】
2004043176.tif 000007
【図６】
2004043176.tif 000008
【図７】
2004043176.tif 000009
【図８】
2004043176.tif 000010
【図９】
2004043176.tif 000011
【図１０】
2004043176.tif 000012
【図１１】
2004043176.tif 000013
【図１２】
2004043176.tif 000014
【図１３】
2004043176.tif 000015
【図１４】
2004043176.tif 000016
【図１５】
2004043176.tif 000017
【図１６】
2004043176.tif 000018
【図１７】
2004043176.tif 000019